(57)【要約】【課題】ハーベスタにおいて、手扱作業位置からでも樋口切換レバーを容易に操作できるようにし、一人で作業する場合であっても、良好な作業性を実現する。【解決手段】操縦部４の前方に、手扱作業を行うための脱穀部５が配置される一方、操縦部４の後方に、脱穀した穀粒を袋詰めするための穀粒収納部６が配置され、該穀粒収納部６に、脱穀した穀粒を樋口１８ａから排出する穀粒排出樋１８を備えるハーベスタ１において、穀粒排出樋１８に、複数の樋口１８ａを形成すると共に、使用する樋口１８ａを樋口切換レバー２１の操作に応じて切換えるにあたり、樋口切換レバー２１Ｆを穀粒排出樋１８の前側に配置する。【選択図】図２
2008054584.tif 000002
【特許請求の範囲】
【請求項１】
操縦部の前方に、手扱作業を行うための脱穀部が配置される一方、操縦部の後方に、脱穀した穀粒を袋詰めするための穀粒収納部が配置され、該穀粒収納部に、脱穀した穀粒を樋口から排出する穀粒排出樋を備えるハーベスタにおいて、
前記穀粒排出樋に、複数の樋口を形成すると共に、使用する樋口を樋口切換レバーの操作に応じて切換えるにあたり、該樋口切換レバーを前記穀粒排出樋の前側に配置したことを特徴とするハーベスタ。
【請求項２】
前記穀粒排出樋の前側及び後側に前記樋口切換レバーを配置したことを特徴とする請求項１記載のハーベスタ。
【発明の詳細な説明】
【技術分野】
【０００１】
本発明は、手扱作業を行うための脱穀部や、脱穀した穀粒を袋詰めするための穀粒収納部を備えるハーベスタに関し、特に、穀粒排出樋に、複数の樋口を形成すると共に、使用する樋口を樋口切換レバーの操作に応じて切換えるハーベスタに関する。
【背景技術】
【０００２】
手扱作業を行うための脱穀部や、脱穀した穀粒を袋詰めするための穀粒収納部を備えるハーベスタが知られている。この種のハーベスタでは、通常、操縦部の前方に脱穀部を配置する一方、操縦部の後方に穀粒収納部を配置しており、穀粒収納部には、脱穀した穀粒を樋口から排出する穀粒排出樋や、穀粒収納袋を支持する袋受け台が設けられる。
【０００３】
また、特許文献１に示されるように、穀粒排出樋に、複数の樋口を形成すると共に、使用する樋口を樋口切換レバーの操作に応じて切換えるハーベスタも知られている。このようなハーベスタによれば、袋受け台の上に複数の穀粒収納袋をセットし、穀粒収納袋の満杯に応じて樋口切換レバーを操作することにより、複数の穀粒収納袋に対して穀粒を効率良く収納することができる。
【特許文献１】特許第３４０６７５１号公報
【発明の開示】
【発明が解決しようとする課題】
【０００４】
ところで、この種のハーベスタを用いた作業は、複数人で行う場合と、一人で行う場合とがある。複数人で作業する場合は、一人が操縦部の前側に立って手扱作業に専念し、他の人が操縦部の後方で機体移動操作や袋詰め作業を行うため、樋口切換レバーは、特許文献１に示されるように、穀粒排出樋の後側にあった方が作業性に優れるが、一人で作業する場合は、樋口切換レバーが手扱作業位置から遠く、穀粒収納袋が満杯になっても、樋口切換レバーをとっさに操作できないという問題があった。
【課題を解決するための手段】
【０００５】
本発明は、上記の如き実情に鑑みこれらの課題を解決することを目的として創作されたものであって、操縦部の前方に、手扱作業を行うための脱穀部が配置される一方、操縦部の後方に、脱穀した穀粒を袋詰めするための穀粒収納部が配置され、該穀粒収納部に、脱穀した穀粒を樋口から排出する穀粒排出樋を備えるハーベスタにおいて、前記穀粒排出樋に、複数の樋口を形成すると共に、使用する樋口を樋口切換レバーの操作に応じて切換えるにあたり、該樋口切換レバーを前記穀粒排出樋の前側に配置したことを特徴とする。このようにすると、手扱作業位置からでも樋口切換レバーを容易に操作できるので、一人で作業する場合であっても、良好な作業性を実現することができる。
また、前記穀粒排出樋の前側及び後側に前記樋口切換レバーを配置したことを特徴とする。このようにすると、穀粒排出樋の前後いずれの側からでも樋口切換レバーを容易に操作することができるので、作業人数に拘わらず良好な作業性を実現することができる。
【発明を実施するための最良の形態】
【０００６】
次に、本発明の実施形態について、図面に基づいて説明する。図１において、１はハーベスタであって、該ハーベスタ１は、左右一対のクローラ走行装置２ａからなる走行部２と、該走行部２の後側上部に設けられるエンジン搭載部３と、該エンジン搭載部３の後側上部に設けられる操縦部４と、該操縦部４の前方（走行部２の前側上部）に設けられる脱穀部５と、操縦部４の後方に設けられる穀粒収納部６とを備えて構成されている。
【０００７】
操縦部４は、各種の操作具が配置される操縦パネル７と、該操縦パネル７から後方に突設されるループ状のハンドル８とを備えており、本実施形態では、エンジン回転数を操作するエンジンコントロールレバー９、脱穀部５への動力供給を断続操作する作業機クラッチレバー１０、走行部２への動力供給を断続操作する走行クラッチレバー１１、左右のクローラ走行装置２ａに対する動力供給を個別に断続操作する左右一対のサイドクラッチレバー１２Ｌ、１２Ｒ、走行動力を変速操作する変速レバー１３などの操作具を操縦パネル７に配置している。
【０００８】
脱穀部５には、左右方向に沿って穀稈を挟持搬送する脱穀フィードチェン１４が設けられると共に、該脱穀フィードチェン１４の始端側、すなわち脱穀部５の左側には、脱穀供給口１５に向けて穀稈を送り込むための穀稈送り込み台１６が突出状に設けられている。つまり、本実施形態のハーベスタ１では、エンジン搭載部３の左側方で、かつ、穀稈送り込み台１６の後方近傍が手扱作業者の立ち位置となっており、ここに立った手扱作業者が穀稈送り込み台１６に沿って穀稈を脱穀供給口１５に送り込むことにより手扱作業が行われる。そして、脱穀供給口１５に送り込まれた穀稈は、脱穀フィードチェン１４に挟持搬送されながら、脱穀部５内で脱穀処理された後、脱穀フィードチェン１４の終端側から排藁として排出される。また、脱穀された穀粒は、脱穀部４内で選別処理され、揚穀筒１７を介して穀粒収納部６まで搬送されるようになっている。
【０００９】
穀粒収納部６には、揚穀筒１７の終端部まで搬送された穀粒を樋口１８ａから排出する穀粒排出樋１８と、穀粒収納袋を吊持する袋受けハンガー１９と、穀粒収納袋の下部を支持する袋受けフロア２０とが設けられている。穀粒排出樋１８には、左右に並ぶ二つの樋口１８ａが形成されており、使用する樋口１８ａを樋口切換レバー２１の操作に応じて切換えるようになっている。このようなハーベスタ１によれば、袋受けフロア２０の上に二つの穀粒収納袋をセットし、穀粒収納袋の満杯に応じて樋口切換レバー２１を操作することにより、穀粒を排出する樋口１８ａが切換えられ、二つの穀粒収納袋に対して穀粒を効率良く収納することが可能になる。
【００１０】
図２に示すように、本発明に係るハーベスタ１では、少なくとも穀粒排出樋１８の前側に樋口切換レバー２１Ｆを配置している。このようにすると、前述した手扱作業位置からでも樋口切換レバー２１を容易に操作できるので、一人で作業する場合であっても、良好な作業性を実現することができる。さらに、本実施形態に係るハーベスタ１では、穀粒排出樋１８の後側にも樋口切換レバー２１Ｒを配置している。このようにすると、穀粒排出樋１８の前後いずれの側からでも樋口切換レバー２１Ｆ、２１Ｒを容易に操作することができるので、作業人数に拘わらず良好な作業性を実現することができる。
【００１１】
具体的な構成について説明すると、穀粒排出樋１８の内部には、図３及び図４に示すように、前後を向く回動軸２２を支点として左右に回動するシャッター２３が設けられている。このシャッター２３を右側所定位置に回動させると、左側の樋口１８ａから穀粒が排出され、シャッター２３を左側所定位置に回動させると、右側の樋口１８ａから穀粒が排出されるようになっている。回動軸２２は、穀粒排出樋１８を前後方向に貫通しており、その前端部には、前側樋口切換レバー２１Ｆの基端部が一体的に連結される一方、後端部には、後側樋口切換レバー２１Ｒの基端部が一体的に連結されている。これにより、いずれの樋口切換レバー２１Ｆ、２１Ｒを操作した場合であっても、シャッター２３が回動し、使用する樋口１８ａが切り換えられることになる。
【００１２】
また、本実施形態では、スプリング（引張りコイルバネ）２４の支点越え作用でシャッター２３を各回動位置に保持するようになっている。具体的には、前側の樋口切換レバー２１Ｆと、穀粒排出樋１８の前面に設けた係止片２５との間に、回動軸２２を支点越えするようにスプリング２４を装着することにより、シャッター２３を各回動位置に保持する。このようにすると、前側の樋口切換レバー２１Ｆをスプリング２４の支持部材に兼用し、部品点数の削減が図れる。
【００１３】
次に、本実施形態に係るハーベスタ１のエンジン搭載部３の構成について、図５を参照して説明する。この図に示すように、エンジン搭載部３の左側面は、エンジンカバー２６で覆われている。エンジンカバー２６には、エンジン始動孔２６ａが形成されており、ここからエンジン始動具（図示せず）を挿入し、エンジン始動軸２７を回し操作することにより、エンジン始動が行われるようになっている。本実施形態のハーベスタ１では、エンジン始動孔２６ａを開閉する内外一対の回動カバー２８、２９が具備されている。内側回動カバー２８は、従前通りのものであり、リンク３０やワイヤ３１を介して、作業機クラッチレバー１０及び走行クラッチレバー１１に連繋されている。そして、作業機クラッチレバー１０又は走行クラッチレバー１１が入り操作されると、内側回動カバー２８がエンジン始動孔２６ａを塞ぐ位置に回動し、エンジン始動が規制されるようになっている。つまり、作業機クラッチレバー１０又は走行クラッチレバー１１が入りの状態では、エンジン始動と同時に脱穀部５や走行部２が動く可能性があるので、エンジン始動孔２６ａを内側回動カバー２８で塞いでエンジン始動を規制している。
【００１４】
しかしながら、内側回動カバー２８は、作業機クラッチレバー１０及び走行クラッチレバー１１がいずれも切り状態であれば、エンジンの停止／駆動状態に拘わらず、エンジン始動孔２６ａを開放するので、エンジン駆動に応じて回転しているエンジン始動軸２７が、エンジン始動孔２６ａを介して露出状態になる可能性がある。そこで、本実施形態では、前述した外側回動カバー２９を追加することにより、上記のような状態の発生を回避している。具体的に説明すると、本実施形態の外側回動カバー２９は、スプリング３２で閉方向に付勢され、常時エンジン始動孔２６ａを閉じるようになっている。このようにすると、エンジン始動時に、スプリング３２の付勢力に抗して、外側回動カバー２９を手で開放操作する必要があるが、作業機クラッチレバー１０及び走行クラッチレバー１１がいずれも切り状態であっても、エンジン始動孔２６ａを塞ぎ、回転しているエンジン始動軸２７の露出を回避できる。
【００１５】
叙述の如く構成された本実施形態によれば、操縦部４の前方に、手扱作業を行うための脱穀部５が配置される一方、操縦部４の後方に、脱穀した穀粒を袋詰めするための穀粒収納部６が配置され、該穀粒収納部６に、脱穀した穀粒を樋口１８ａから排出する穀粒排出樋１８を備えるハーベスタ１において、穀粒排出樋１８に、複数の樋口１８ａを形成すると共に、使用する樋口１８ａを樋口切換レバー２１の操作に応じて切換えるにあたり、樋口切換レバー２１Ｆを穀粒排出樋１８の前側に配置したので、手扱作業位置からでも樋口切換レバー２１Ｆを容易に操作でき、その結果、一人で作業する場合であっても、良好な作業性を実現することができる。
【００１６】
また、本実施形態では、穀粒排出樋１８の前側及び後側に樋口切換レバー２１Ｆ、２１Ｒを配置し、穀粒排出樋１８の前後いずれの側からでも樋口切換レバー２１Ｆ、２１Ｒを容易に操作できるようにしたので、作業人数に拘わらず良好な作業性を実現することができる。
【図面の簡単な説明】
【００１７】
【図１】ハーベスタの全体斜視図である。
【図２】ハーベスタの後部を示す斜視図である。
【図３】穀粒排出樋の側面図である。
【図４】（Ａ）は穀粒排出樋の正面図、（Ｂ）は穀粒排出樋の背面図である。
【図５】エンジン搭載部の側面図である。
【符号の説明】
【００１８】
１      ハーベスタ
４      操縦部
５      脱穀部
６      穀粒収納部
１４    脱穀フィードチェン
１５    脱穀供給口
１６    穀稈送り込み台
１７    揚穀筒
１８    穀粒排出樋
１８ａ  樋口
２１Ｆ  前側樋口切換レバー
２１Ｒ  後側樋口切換レバー
２３    シャッター
２４    スプリング
２５    係止片
【図１】
2008054584.tif 000003
【図２】
2008054584.tif 000004
【図３】
2008054584.tif 000005
【図４】
2008054584.tif 000006
【図５】
2008054584.tif 000007